(57)【要約】本発明は、ルーフライナーとカセットとで構成されたシステム、ルーフライナーを製造する方法、ルーフライナーをカセットに、特にスライディングルーフカセットに固定するための方法に関する。
2015504804.tif 000002
【特許請求の範囲】
【請求項１】
ルーフ開口部の領域に縁を有するルーフライナー（１）であって、車室から奥まった所に成形体（１．１）が設けられ、前記成形体（１．１）にそれに連続する折り返し部（１．２）、例えばフランジが設けられたルーフライナー（１）と、前記ルーフライナーの前記折り返し部が支えられる支持体（３）、特に支持突起を少なくとも部分的に有するカセット（２）とのシステムであって、前記支持体（３）は、前記ルーフライナーの前記折り返し部（１．２）の少なくとも一部を収容するスロットを前記カセット（２）と共に形成することを特徴とする、システム。
【請求項２】
前記ルーフライナーは前記折り返し部に１つ以上の凹部を有し、前記凹部はそれぞれ、好ましくは前記カセット及び／又は前記支持体に設けられたそれぞれの突起を収容することを特徴とする、請求項１に記載のシステム。
【請求項３】
前記折り返し部に１つ以上のポジティブ及び／又は摩擦接続手段が設けられていることを特徴とする、請求項１又は２に記載のシステム。
【請求項４】
前記支持体は実質的に矩形のカセットの両側に設けられていることを特徴とする、請求項１から３のいずれか１項に記載のシステム。
【請求項５】
前記支持体は、１つ以上の凹部、切り欠き及び／又はくぼみを備え、前記凹部、切り欠き及び／又はくぼみはそれぞれ、前記ルーフライナーの前記折り返し部と摩擦によって及び／又はポジティブに相互作用することを特徴とする、請求項１から４のいずれか１項に記載のシステム。
【請求項６】
前記支持体は前記カセットと一体的に形成されていることを特徴とする、請求項１から５のいずれか１項に記載のシステム。
【請求項７】
前記カセットは押し出し成形され、前記支持体はカセットに一体的に成形されることを特徴とする、請求項１から６のいずれか１項に記載のシステム。
【請求項８】
前記スロットの幅は、前記折り返し部の挿入方向に関して初めは大きいことを特徴とする、請求項１から７のいずれか１項に記載のシステム。
【請求項９】
前記折り返し部は、特に一体的なデザインのポジティブ及び／又は摩擦接続手段を備え、前記接続手段は、前記カセット、特にスライディングルーフカセット、又は前記支持体にある凹部と相互作用することを特徴とする、請求項１に記載のシステム。
【請求項１０】
ルーフライナーを製造する方法であって、隆起した成形体と、前記成形体にある後続の折り返し部がルーフライナー凹部の縁の領域に周方向に形成され、前記折り返し部に１つ以上の凹部が加工されることを特徴とする方法。
【請求項１１】
前記凹部は、前記折り返し部がその最終位置にされる前に組み込まれ、例えば切断され又は穴を開けられることを特徴とする、請求項１０に記載の方法。
【請求項１２】
前記折り返し部はその最終位置にされる前に切断されることを特徴とする、請求項１に記載の方法。
【請求項１３】
前記凹部の導入及び切断は、本質的に同じ作業ステップで行われることを特徴とする、請求項１２に記載の方法。
【請求項１４】
前記凹部は前記折り返し部の領域に部分的にのみ設けられていることを特徴とする、請求項１０から１３のいずれか１項に記載の方法。
【請求項１５】
前記折り返し部は複数の凹部を備え、前記凹部は、好ましくは少なくとも部分的に互いから等距離に配置されることを特徴とする、請求項１０から１４のいずれか１項に記載の方法。
【請求項１６】
前記折り返し部に少なくとも１つのくぼみが設けられ、前記くぼみは、好ましくは前記カセット及び／又は前記支持体とポジティブに及び／又は摩擦によって相互作用することを特徴とする、請求項１０から１５のいずれか１項に記載の方法。
【請求項１７】
ルーフライナーをカセット、特にスライディングルーフカセットに取り付けるための方法であって、前記折り返し部が少なくとも部分的に前記カセット内に挿入され、前記折り返し部は、それによって前記カセットと前記支持体との間の前記スロットに入り込むことを特徴とする方法。
【請求項１８】
前記折り返し部が前記カセット内に挿入されるときに、前記ルーフライナー、特に前記折り返し部は弾性変形することを特徴とする、請求項１７に記載の方法。
【請求項１９】
前記折り返し部が少なくとも部分的に前記スロットに入り込んだとき、この弾性変形は少なくとも部分的に、好ましくは完全に戻ることを特徴とする、請求項１８に記載の方法。
【請求項２０】
前記ルーフライナーは、前記折り返し部が前記支持体より上に配置されるまで前記カセット内に下方からスライドさせられ、その後、再び下方に移動されることを特徴とする、請求項１７から１９のいずれか１項に記載の方法。
【請求項２１】
前記折り返し部は、前記下方への移動中、前記カセットと前記支持体との間の前記スロットに入り込み続けることを特徴とする、請求項２０に記載の方法。
【発明の詳細な説明】
【技術分野】
【０００１】
本発明は、ルーフライナー及びカセットから成るシステム、並びにルーフライナーの製造方法、及びルーフライナーをカセットに、特にスライディングルーフカセットに取り付けるための方法に関する。
【背景技術】
【０００２】
さまざまなルーフライナーの変形例が、各車両の車両ルーフの内装トリム部品として製造されている。その下にあるルーフの内側全体を完全に覆う、いわゆるフル又は標準ルーフライナーに加えて、１つ以上のルーフ開口部を有する変形例もある。例えばスライディングルーフやパノラマルーフを有する、これらの利用可能な変形例は、通常、その後ろにあるカセット、例えばスライディングルーフカセットとの接続領域に美的な閉鎖部を形成し、且つこのユニットに強固に取り付けられる必要がある。そのため、当業者は、この接続を可能な限りシンプルで且つ耐久性のあるように設計することを目指している。
【発明の概要】
【発明が解決しようとする課題】
【０００３】
従って、本発明の目的は、ルーフ開口部を有するルーフライナーとカセットとから成るシステムであって、製造及び設置が簡単であるシステムを提供することであった。
【課題を解決するための手段】
【０００４】
この目的は、ルーフ開口部の領域に縁を有するルーフライナーであって、車室から奥まった所にある成形体と、成形体上のそれに続く折り返し部とが周囲に設けられたルーフライナーと、ルーフライナーの折り返し部が支えられる支持体、特に支持突起を少なくとも部分的に有するカセットとで構成されたシステムであって、支持体がルーフライナーの折り返し部を少なくとも部分的に収容するスロットをカセットと共に形成するシステムによって達成される。
【０００５】
本発明のこの目的について本明細書になされた記述は、本発明の他の目的にも同様に当てはまり、その逆の場合も同様である。
【０００６】
本発明は、ルーフライナーとカセットとで構成されるシステムに関する。ルーフライナーは、好ましくは、下地材と装飾材とで構成される。本発明によれば、ルーフライナーはルーフ開口部を備え、ルーフ開口部の縁領域に、車室から奥まった所にある、すなわち車両の内部と逆方向を向いている成形体が設けられる。折り返し部は、この成形体に取り付けられる。折り返し部は、車室から引っ込んだ成形体に対して任意の角度であることができるが、折り返し部は、この隆起した成形体に対して８０°から１８０°の角度であることが好ましい。角度が９０°又は１８０°であることが特に好ましい。折り返し部は、ルーフ開口部の全周にわたって延びることができ、又は部分的に設けることができる。
【０００７】
本発明の１つの好ましい実施形態によれば、ルーフライナーは、折り返し部に１つ以上の凹部を有し、凹部は好ましくはそれぞれ、カセット及び／又は支持体に設けられたそれぞれの突起を収容する。代替的に又は付加的に、１つ以上のポジティブ及び／又は摩擦接続手段が、折り返し部に設けられる。
【０００８】
本発明によれば、ルーフライナーは、カセット、特にスライディングルーフカセットと共に、車両の本体に、特に好ましくは着脱可能に固定される。本発明によれば、カセットがルーフライナーを支える支持体、特に支持突起を備えることが定められている。この支持体は、カセットの全内周にわたって又はその一部にのみ延びることができる。支持体は、好ましくは、実質的に矩形のカセットの両側に設けられる。支持体は、１つ以上の凹部、切欠き及び／又はくぼみを含むことができ、凹部、切欠き及び／又はくぼみはそれぞれ、ルーフライナーの折り返し部と摩擦によって及び／又はポジティブに相互作用する。
【０００９】
支持体は、好ましくはカセットと一体的に形成される。例えば、カセットは押し出し成形され、支持体はカセット上に一体的に成形される。
【００１０】
本発明によれば、さらに、カセットと支持体は、ルーフライナー折り返し部の少なくとも一部を受け入れるスロットを形成する。スロットの幅は、折り返し部の厚さと比べて大きいか、等しいか、又は小さい寸法であることができる。後者の場合には、折り返し部は結果としてスロット内にクランプされる。スロットの幅は、特にルーフライナー折り返し部の挿入方向に、変化することができる。例えば、スロットの幅は、折り返し部のスロットへの挿入を容易にするために、折り返し部の挿入方向に関して、初めは大きく、その後、例えばスロット内にさらに挿入する際に折り返し部をクランプするために、又はスロットと折り返し部の間の遊びを減らすために減少する。しかしながら、スロットは挿入方向に大きくなることも可能である。好ましくは、入り口は、折り返し部の挿入の際に、特に弾性的に広がる。
【００１１】
別の好ましい実施形態によれば、折り返し部は、特に一体的なデザインのポジティブ及び／又は摩擦接続手段を備え、接続手段は、カセット、特にスライディングルーフカセット、又は支持体にある凹部と相互作用する。ポジティブ及び／又は摩擦手段は、好ましくはラッチ式に凹部と相互作用する。ポジティブ及び／又は摩擦手段は、好ましくはルーフライナーに成形された成形体である。
【００１２】
ルーフライナーの製造方法は、本発明のさらなる目的であり、この方法では、ルーフライナー凹部の縁の領域に、隆起した成形体と、成形体上でそれに続く折り返し部とが周囲に形成され、１つ以上の凹部が折り返し部に組み込まれる。
【００１３】
本発明のこの目的について本明細書になされた記述は、本発明の他の目的にも同様に当てはまり、その逆の場合も同様である。
【００１４】
凹部は、折り返し部をその最終位置にする前に、好ましくは組み込まれ、例えば、ウォータージェット又はレーザービームによって切断され又は穴が開けられる。
【００１５】
折り返し部は、その最終位置にする前に切断されることが特に好ましい。好ましくは、凹部の導入及び切断は、本質的に同じ作業ステップで、特に好ましくは同時に行われる。
【００１６】
折り返し部は、隆起した成形体に接続され、例えば、材料結合されることができる。折り返し部は、本質的に塑性変形によってその最終位置にされる。好ましくは、折り返し部は、変形のあと、隆起した成形体上に位置しないか、完全には位置せず、ルーフライナーをカセットに取り付けるときに、隆起した成形体に向かって、特に弾性的に曲げることができる。これにより、ルーフライナーがカセットから外れるのを阻止するプレテンションが生成される。
【００１７】
好ましくは、ルーフライナーを製造する材料を変形させるのに、圧力及び／又は温度が用いられる。
【００１８】
凹部は、好ましくは、折り返し部の領域に部分的にのみ設けられる。折り返し部は、好ましくは少なくとも部分的に互いから等距離に配置される、複数の凹部を含むことが特に好ましい。
【００１９】
特に係合手段と相互作用するこれらの凹部の代わりに又はこれらの凹部に加えて、折り返し部に、例えば、ルーフライナーの成形中に、パンチマーキングを設けることができ、パンチマーキングは、例えばスライディングルーフカセットのポジティブフィットの成形係合手段と共に、折り返し突起が誤って抜けるのを防ぐ。これらのパンチマーキングはまた、凹部と係合手段の組合せに加えて用いることができる。
【００２０】
ヘッドライナーを穴あき凹部から抜け出させる力は、例えば、ヘッドライナーの上縁にかかる圧力によって、又はこの縁が引っ張られることによって生じる場合がある。
【００２１】
本発明のさらなる目的は、ルーフライナーをカセット、特にスライディングルーフカセットに取り付けるための方法であり、この方法では、折り返し部が少なくとも部分的にカセットに挿入され、折り返し部が、それによってカセットと支持体との間のスロット内に入り込む。
【００２２】
本発明のこの目的について本明細書になされた記述は、本発明の他の目的にも同様に当てはまり、その逆の場合も同様である。
【００２３】
ルーフライナー、特に折り返し部は、折り返し部がカセット内に挿入されるときに、好ましくは弾性変形する。この弾性変形は、好ましくは折り返し部が少なくとも部分的にスロットに入り込んだときに、好ましくは部分的にのみ、特に好ましくは完全に戻る。ルーフライナーは、折り返し部が支持体より上に配置されるまで、好ましくはカセット内に下からスライドされ、その後再度下方に移動される。その結果、下方への移動中に、折り返し部は、カセットと支持体との間のスロットに入り込み続ける。
【図面の簡単な説明】
【００２４】
以下では、本発明を明らかにするために図１〜４ｃを利用する。これらの詳細は、単なる例であり、本発明の範囲及び本質を限定するものではない。記載は、本発明のすべての目的に同様に当てはまる。
【図１】本発明によるシステムを示す。
【図２】本発明によるシステムを示す。
【図３ａ−ｃ】ルーフライナーの製造を示す。
【図４ａ−ｃ】ルーフライナーのルーフカセットへの取り付けを示す。
【発明を実施するための形態】
【００２５】
図１及び図２は、ルーフライナー１とカセット２、特にスライディングルーフカセットとで構成される、本発明に係るシステムを示す。ルーフライナーは、好ましくは、下地材と、車室に面する化粧材とで構成される。例えばスライディング又はパノラマルーフのために設けられた開口部の領域に、ルーフライナー１は、隆起した第１の成形体１．１を含み、成形体１．１に折り返し部１．２が取り付けられている。この場合、成形体１．１は、凹部の周囲に周方向に設けられる。折り返し部１．２は、好ましくは同様に成形部の周囲に周方向に設けられるが、主に少なくとも凹部の真っすぐな縁上に延びる。角部の半径、化粧仕上げの弾力性、及び下地材の現場での質量に応じて、凹部の角部で、材料結合した１８０°の折り返し部への移行が生じる可能性もある。支持体３が、カセット１の下側と支持体３の上側との間にスロットを作成するように、好ましくは本発明のシステムのカセット２に一体的に設けられ、ルーフライナーをカセットに嵌めるときに、折り返し部１．２がこのスロットに挿入される。スロットは、好ましくは、折り返し部１．２の少なくとも一部をクランプするような寸法にされている。この目的のために、支持体３は、例えば、ルーフライナーと相互作用する、ポジティブ及び／又は摩擦接続手段を備えることができる。支持体３は、代替的に又は付加的に、例えばスロット幅の少なくともの一部が折り返し部１．２の厚みよりも小さいことによって、折り返し部に向かって弾性的にプレテンションをかけることができる。支持体３は、カセット全体又はカセットの一部のみの周りに周方向に設けることができる。支持体は、好ましくは、例えば正方形又は長方形の形状のカセットの両側にそれぞれ配置される。
【００２６】
図３ａ−ｃは、折り返し部の製造を示す。まず、図３ａが示すように、ルーフライナー１に凹部の縁領域が形成される。この形成は、好ましくは、圧力及び／又は温度によって行われる。その後、同様に示されるように、ルーフライナーが切断縁７に沿って切断され、それによって廃材６が生じる。同時に又はその後に、折り返し部１．２に凹部１０が加工され、例えば、ウォータージェット又はレーザを用いて切断され、又は穴を開けられる。折り返し部のために、折り返しツール１１が、矢印１２で示すように移動される。この移動は、この場合は矢印１３で示すように、折り返し線８を中心とする、折り返し部１．２の実質的に円形の動きをもたらす。
【００２７】
必要に応じて折り返し部を支持するために、さらに押さえ装置１４を使用することができる。ツールを取り除いた後に折り返し部が図４ａに示す位置に留まるように、ルーフライナーは、図３ａ−ｃに示すように、好ましくは少なくとも部分的に塑性変形させられる。
【００２８】
図４ａ−ｃは、ルーフライナー１とルーフカセット２との間の接続を示す。この接続を行うために、折り返し部１．２の少なくとも一部がルーフカセット２にあるスロットを越え又は支持体３を越えるまで、ルーフライナーがルーフカセットに下から挿入され、これは図４ｂに矢印１６で表される。図４ｃに矢印１６で示されるように、ルーフライナーは、その後、反対方向に移動される。そうすることによって、折り返し部の凹部１０がカセットの支持体３に設けられた係合手段１５と連結するまで、折り返し部１．２の前方部分がスロット内にスライドする。
【符号の説明】
【００２９】
１  ルーフライナー
１．１  隆起した成形体、車室から奥まった所にある成形体
１．２  折り返し部、取り付けフランジ
２  カセット、スライディングルーフカセット
３  支持体、支持突起
３．１  ポジティブ及び／又は摩擦接続手段、クランプ手段
４  コーナー領域
５  スライディングルーフ成形体
６  切断後の廃材
７  切断縁
８  折り返し線
９  折り返し領域
１０  凹部
１１  折り返しツール
１２  ツールの動き
１３  折り返し領域９の動き
１４  押さえ装置
１５  ポジティブ接続手段、係止爪
１６  設置動作
【図１】
2015504804.tif 000003
【図２】
2015504804.tif 000004
【図３ａ】
2015504804.tif 000005
【図３ｂ】
2015504804.tif 000006
【図３ｃ】
2015504804.tif 000007
【図４ａ】
2015504804.tif 000008
【図４ｂ】
2015504804.tif 000009
【図４ｃ】
2015504804.tif 000010
【国際調査報告】
2015504804.tif 000011
2015504804.tif 000012
2015504804.tif 000013
2015504804.tif 000014
2015504804.tif 000015
2015504804.tif 000016